(57)【特許請求の範囲】
【請求項１】
直方体状の収納箱と、軸心方向が収納箱の長手方向に沿うように収納箱内に収納された、所要長さごと切り離し可能な長尺のシートロールとを有するシートロール収納製品において、
前記収納箱における前面及び上面の境界をなす前側上稜線部又はその近傍に、前記シートロールの先端部を引き出すための取出口又はその形成部が設けられるとともに、
前記シートロールを、前記収納箱における後面及び下面の境界をなす後側下稜線部側から支えて、前記取出口又はその形成部側に向かって押し上げて支持する移動手段が、前記収納箱を構成する要素として設けられており、
その移動手段として； 
前記収納箱の下面における前後方向の所定位置から下面及び後面の境界を経て後面における上下方向の中間位置までの部分が、下面における前端を切り残して周囲から切り離し可能な切り起し部として設けられるとともに、
前記収納箱の後面及び上面の境界をなす後側上稜線部又はその近傍に、前記切り起し部の先端部を箱内側から箱外側に挿通して係止するための挿通口又はその形成部が設けられている、
ことを特徴とするシートロール収納製品。
【請求項２】
直方体状の収納箱と、軸心方向が収納箱の長手方向に沿うように収納箱内に収納された、所要長さごと切り離し可能な長尺のシートロールとを有するシートロール収納製品において、
前記収納箱における前面及び上面の境界をなす前側上稜線部又はその近傍に、前記シートロールの先端部を引き出すための取出口又はその形成部が設けられるとともに、
前記シートロールを、前記収納箱における後面及び下面の境界をなす後側下稜線部側から支えて、前記取出口又はその形成部側に向かって押し上げて支持する移動手段が、前記収納箱を構成する要素として設けられており、
その移動手段として；
前記収納箱の下面における前後方向の所定範囲が、前端を切り残して周囲から切り離し可能な下面切り起し部として設けられ、
前記収納箱の後面における上下方向の所定範囲が、上端を切り残して周囲から切り離し可能な後面切り起し部として設けられ、且つ
前記下面切り起し部及び後面切り起し部のいずれか一方に、他方の先端部を挿通して係止するための挿通口又はその形成部が設けられている、
ことを特徴とするシートロール収納製品。
【請求項３】
直方体状の収納箱と、軸心方向が収納箱の長手方向に沿うように収納箱内に収納された、所要長さごと切り離し可能な長尺のシートロールとを有するシートロール収納製品において、
前記収納箱における前面及び上面の境界をなす前側上稜線部又はその近傍に、前記シートロールの先端部を引き出すための取出口又はその形成部が設けられるとともに、
前記シートロールを、前記収納箱における後面及び下面の境界をなす後側下稜線部側から支えて、前記取出口又はその形成部側に向かって押し上げて支持する移動手段が、前記収納箱を構成する要素として設けられており、
その移動手段として；
前記収納箱における後面及び上面の境界をなす後側上稜線部又はその近傍に、挿通口又はその形成部が設けられるとともに、
前記収納箱における前面及び下面の境界をなす前側下稜線部又はその近傍の箱内面から箱内側に突出し、前記収納箱内における前記シートロールの下側及び後側を通って、前記挿通口に箱内側から箱外側へ挿通されて係止される舌片が設けられている、
ことを特徴とするシートロール収納製品。
【発明の詳細な説明】
【技術分野】
【０００１】
本発明は、ロール状に巻き取られたキッチンペーパー、トイレットペーパー等のシートロールを収納箱に収納してなる製品に関するものである。
【背景技術】
【０００２】
例えばキッチンペーパーの多くは、ロール状に巻かれた状態で提供されており、ユーザーが使用する場合には、別途購入した固定式ホルダーを壁に固定し、これにロールシートを取付け所要量だけ巻き出しながら使用するか、例えば下記特許文献１に示されるように、紙箱内に収納した状態で提供されたものを購入し、紙箱から所要長さだけ巻き出して切り離して使用するようにしている。
【特許文献１】特開２００５−２８０８０６号公報
【発明の開示】
【発明が解決しようとする課題】
【０００３】
しかしながら、キッチンペーパー、トイレットペーパー等の厚みのある嵩高なシートのロールは、使用による直径の減少幅が大きいため、未使用時のロール直径に合せて収納箱の内寸を設計すると、使用していくにつれて収納箱内面とシートロール外面との隙間、つまり遊びが過度に大きくなり、取り出しにくくなったり、あるいはシートロールの先端部が収納箱内に入り込み、次の取り出し作業が煩雑となったりする等の問題点がある。
シートを厚み方向に積層して収納し、上面の取出口から一枚ずつ取り出すタイプの製品では、収納箱の下面の一部を切り起しとして形成し、これを箱内側に切り起すことにより、収納箱内のシートを下側から押し上げて支持するといった解決手段が広く採用されているが、シートロールの場合に応用できるものではない。
そこで、本発明の主たる課題は、シートロールの径が小さくなってもシートを容易且つ確実に取り出しうるシートロール収納製品を提供することにある。
【課題を解決するための手段】
【０００４】
上記課題を解決した本発明は次記のとおりである。
＜請求項１記載の発明＞
直方体状の収納箱と、軸心方向が収納箱の長手方向に沿うように収納箱内に収納された、所要長さごと切り離し可能な長尺のシートロールとを有するシートロール収納製品において、
前記収納箱における前面及び上面の境界をなす前側上稜線部又はその近傍に、前記シートロールの先端部を引き出すための取出口又はその形成部が設けられるとともに、
前記シートロールを、前記収納箱における後面及び下面の境界をなす後側下稜線部側から支えて、前記取出口又はその形成部側に向かって押し上げて支持する移動手段が、前記収納箱を構成する要素として設けられており、
その移動手段として； 
前記収納箱の下面における前後方向の所定位置から下面及び後面の境界を経て後面における上下方向の中間位置までの部分が、下面における前端を切り残して周囲から切り離し可能な切り起し部として設けられるとともに、
前記収納箱の後面及び上面の境界をなす後側上稜線部又はその近傍に、前記切り起し部の先端部を箱内側から箱外側に挿通して係止するための挿通口又はその形成部が設けられている、
ことを特徴とするシートロール収納製品。
【０００５】
（作用効果）
シートロールを直方体状の収納箱に収納する場合、軸心方向を収納箱の長手方向に沿うように収納することが一般に行われている。シートロールにおけるシートの巻き出し方向は接線方向であるため、シートロールの先端部を引き出すための取出口又はその形成部を、収納箱における前側上稜線部又はその近傍に設けると、シートの繰り出しが円滑になる。この場合、シートロールを単に上方に押し上げて支持するだけでは、シートロールの前後方向の遊びは無くならないが、本発明では、シートロールを収納箱の後側下稜線部側から支えて、取出口又はその形成部側に向かって押し上げて支持するものであるため、シートロールの径が小さくなっても、シートロールのシート繰り出し位置と取出口との位置関係がより長い使用期間にわたり殆ど変化せず、シートを容易且つ確実に取り出すことができるようになる。
【０００６】
なお、本発明における前後上下の方向は、シートロールの先端部を引き出すための取出口又はその形成部が形成される部位を基準とするものであり、製品の使用時の方向等に限定されるものではない。また、用語「形成部」とは最初の使用時に使用者が開口させる部分を意味するものであり、その限りにおいて、ミシン目等の開口を用意にする加工が入れられているものの他、そのような加工がないものも含むものである（以下同じ。）。さらに、「収納箱を構成する要素として」としたのは、別体の道具により押し上げて支持するものを含まないことを明確にするためである。
【０００７】
【０００８】
そして、特に本項記載の発明では、収納箱の下面から後面にわたる一部分を切り起し部として箱内側に起し、その先端部を挿通口に挿通して係止することにより、切り起し部がシートロールを取出口側に押し上げて支持する機能を発揮する。このように、収納箱の面の一部を利用して移動手段を構成すると、別体の部材を貼り付けて設ける場合のように資材の増加を招くといった問題点がない。
【０００９】
＜請求項２記載の発明＞
直方体状の収納箱と、軸心方向が収納箱の長手方向に沿うように収納箱内に収納された、所要長さごと切り離し可能な長尺のシートロールとを有するシートロール収納製品において、
前記収納箱における前面及び上面の境界をなす前側上稜線部又はその近傍に、前記シートロールの先端部を引き出すための取出口又はその形成部が設けられるとともに、
前記シートロールを、前記収納箱における後面及び下面の境界をなす後側下稜線部側から支えて、前記取出口又はその形成部側に向かって押し上げて支持する移動手段が、前記収納箱を構成する要素として設けられており、
その移動手段として；
前記収納箱の下面における前後方向の所定範囲が、前端を切り残して周囲から切り離し可能な下面切り起し部として設けられ、
前記収納箱の後面における上下方向の所定範囲が、上端を切り残して周囲から切り離し可能な後面切り起し部として設けられ、且つ
前記下面切り起し部及び後面切り起し部のいずれか一方に、他方の先端部を挿通して係止するための挿通口又はその形成部が設けられている、
ことを特徴とするシートロール収納製品。
【００１０】
（作用効果）
本項記載の発明では、特に、収納箱の下面及び後面からそれぞれ切り起し部を箱内側に起し、その一方の挿通口に他方の先端部を挿通して係止することにより、両切り起し部がシートロールを取出口側に押し上げて支持する機能を発揮する。このように、収納箱の面の一部を利用して移動手段を構成すると、別体の部材を貼り付けて設ける場合のように資材の増加を招くといった問題点がない。
【００１１】
＜請求項３記載の発明＞
直方体状の収納箱と、軸心方向が収納箱の長手方向に沿うように収納箱内に収納された、所要長さごと切り離し可能な長尺のシートロールとを有するシートロール収納製品において、
前記収納箱における前面及び上面の境界をなす前側上稜線部又はその近傍に、前記シートロールの先端部を引き出すための取出口又はその形成部が設けられるとともに、
前記シートロールを、前記収納箱における後面及び下面の境界をなす後側下稜線部側から支えて、前記取出口又はその形成部側に向かって押し上げて支持する移動手段が、前記収納箱を構成する要素として設けられており、
その移動手段として；
前記収納箱における後面及び上面の境界をなす後側上稜線部又はその近傍に、挿通口又はその形成部が設けられるとともに、
前記収納箱における前面及び下面の境界をなす前側下稜線部又はその近傍の箱内面から箱内側に突出し、前記収納箱内における前記シートロールの下側及び後側を通って、前記挿通口に箱内側から箱外側へ挿通されて係止される舌片が設けられている、
ことを特徴とするシートロール収納製品。
【００１２】
（作用効果）
本項記載の発明では、特に、箱内側に突出する舌片を挿通口に通して箱外側に導出し係止することにより、舌片がシートロールを取出口側に押し上げて支持する機能を発揮する。なお、舌片は別体の部材を貼り付けて設けるよりも、収納箱の構成材の一部の延長により構成する方が、資材の増加を招くといった問題点がないため好ましい。
【００１３】
（本発明に関連する発明）
直方体状の収納箱と、軸心方向が収納箱の長手方向に沿うように収納箱内に収納された、所要長さごと切り離し可能な長尺のシートロールとを有するシートロール収納製品において、
前記収納箱における前面及び上面の境界をなす前側上稜線部又はその近傍に、前記シートロールの先端部を引き出すための取出口又はその形成部が設けられるとともに、
前記シートロールを、前記収納箱における後面及び下面の境界をなす後側下稜線部側から支えて、前記取出口又はその形成部側に向かって押し上げて支持する移動手段が、前記収納箱を構成する要素として設けられており、
その移動手段として；前記収納箱の下面における前後方向の所定位置から下面及び後面の境界を経て後面における上下方向の中間位置までの部分が、下面における前端及び後面における上端を切り残して両側縁を周囲から切り離し可能な切り起し部として設けられている、シートロール収納製品
【００１４】
（関連発明の作用効果）
参考発明では、収納箱の下面から後面にわたる一部分を、下面における前端及び後面における上端を切り残して両側縁を周囲から切り離して箱内側に起すことにより、この切り起し部がシートロールを取出口側に押し上げて支持する機能を発揮する。このように、収納箱の面の一部を利用して移動手段を構成すると、別体の部材を貼り付けて設ける場合のように資材の増加を招くといった問題点がない。
【発明の効果】
【００１５】
以上のとおり、本発明によれば、シートロールの径が小さくなってもシートを容易且つ確実に取り出しうるシートロール収納製品となる、等の利点がもたらされる。
【発明を実施するための最良の形態】
【００１６】
以下、本発明の一実施形態について添付図面を参照しながら詳説する。
＜第１の形態＞
図１及び図２は、シートロール１０を収納した収納箱１の未使用状態を示しており、図３は、収納箱１の展開状態を示している。この収納箱１は、図１に示されるように組み立て状態で直方体状を成すものであり、上面２、下面３、前面４、後面５、左側面６及び右側面７を有している。図３の展開状態からも判るように、下面３の後縁（周縁のうち後面５と隣接する縁）からその長手方向全体にわたり糊代片３ｂが張り出しており、後面５の内側に糊代片３ｂが重ねられて接着剤により接着固定されることにより、上面２、下面３、前面４及び後面５からなる筒状部が形成されている。図示例の収納箱１は断面が正方形となっているが、前後方向が上下方向に対して長い又は上下方向が前後方向に対して長い長方形となっていても良い。
【００１７】
また、左右の側面６，７は、上面２の隣接縁及び下面３の隣接縁からそれぞれ延在する上フラップ２ｆ及び下フラップ３ｆと、前面４の隣接縁及び後面５の隣接縁からそれぞれ延在する前フラップ４ｆ及び後フラップ５ｆからなるものであり、前フラップ４ｆ及び後フラップ５ｆの外側に上フラップ２ｆ及び下フラップ３ｆが重ねられて、上フラップ２ｆ及び下フラップ３ｆが前フラップ及び後フラップ５ｆに接着剤により固定されるとともに、下フラップ３ｆの上端部の外側に上フラップ２ｆの下端部が重ねられて、重ね合わせ部分が接着剤により固定されている。
【００１８】
収納箱１における前面４及び上面２の境界をなす前側上稜線部には、左右方向に沿って左端から右端まで取出口形成部としてのミシン目２５が形成されている。特に、図示例のミシン目２５は、左側部分及び右側部分では前側上稜線部上に位置し、左右方向中間部では前面４下側に膨出しており、この膨出部分により囲まれる部分４ａは、ミシン目２５を切り離した後には、後述する取出口２６から取り出すシートロール１０を指で押える際の押え部となる。もちろん、この部分を予めスリット状に開口させ、ミシン目２５を省略することもできる。
【００１９】
収納箱１の内空には、図６にも示すように、軸心方向が収納箱の長手方向に沿うようにシートロール１０が収納されている。収納状態におけるシートロール１０の巻き方向は後述する取出口２６の向きに応じて定めるのが好ましい。すなわち取出口２６が上面２における前側上稜線部近傍において上向きに開口する場合は、先端部の繰り出し方向が上向きとなるようにシートロール１０を収納し、取出口２６が前面４における前側上稜線部近傍に位置する場合は先端部の繰り出し方向が前向きとなるようにシートロール１０を収納するのが好ましい。一方、取出口が前側上稜線部２５上に位置する場合はこれらのいずれの向きで収納しても円滑な取り出しが可能となる。図示例では、取出口２６のうち左右方向両側の部分は前側上稜線部上に位置しているが、押え部４ａが上面２から延出するため、この部分におけるシートの送り出しの円滑さを考慮し、先端部の繰り出し方向が前向きとなるようにシートロール１０を収納している。
【００２０】
本発明のシートロール１０は特に限定されるものではないが、紙や不織布等の繊維集合シートであるのが好ましく、特に巻き密度（単位巻き長さ当りのロール直径：巻き長さをロール断面積で割った値として定まる密度）が０．２０〜０．７８ｍ／ｃｍ2であるのが好ましい。この範囲を超えると、シートロール１０は固く重くなり過ぎてしまい、シートの送り出しの円滑さが損なわれる恐れがある。逆に、この範囲より小さいと、シートロール１０は緩く軽くなり過ぎてしまうので、シートの送り出しにおける先端部の繰り出しを前向きにしても、元に戻る方向、つまり後ろ向きに先端部が戻ってしまう恐れがある。図示例は芯１１を有しているが、芯無しであっても良い。また、本発明のシートロール１０は、長手方向に所定の間隔で切り離し用のミシン目が幅方向に沿って形成されているのが好ましいが、このようなミシン目がなく、任意の長さでシートを破断させるタイプのものでも良い。
【００２１】
特徴的には、収納箱１を構成する要素として、シートロール１０を、収納箱１における後面５及び下面３の境界をなす後側下稜線部側から支えて、取出口形成部（ミシン目２５）側に向かって押し上げて支持する移動手段が設けられている。
【００２２】
より詳細には、移動手段として、収納箱１の下面３の左右方向中央部分における前後方向の所定位置（図示例では前縁近傍）から下面３及び後面５の境界を経て後面５の左右方向中央部分における上下方向の中間位置（図示例では上縁近傍）までの帯状部分が、下面３における前端を切り残して周囲から切り離し可能な切り起し部（フラップ部）３０として設けられるとともに、収納箱１の後面５及び上面２の境界をなす後側上稜線部のうち切り起し部３０と対応する左右方向部位（図示形態では中央部）に、切り起し部３０の先端部を挿通して係止するためのスリット状の挿通口４０が設けられている。
【００２３】
この場合、切り起し部３０の周縁のうち切り離される部分は予め切り離されていても良いが、図示例のようにミシン目３１により切り離し可能となっているのが好ましい。また挿通口４０は、図示例のようにスリット状とする場合は予め切断されているのが好ましいが、使用者がミシン目により切り離して形成できるようになっていても良い。
【００２４】
使用に際しては、ミシン目２５を切り離して図４に示すように取出口２６を形成した後、取出口２６からシートロール１０の先端部を引き出し、所要長さだけ切り離す。この際、図示形態では、シートロール１０の先端部を引き出した状態で、取出口２６の一方の縁部の膨出部分４ａを指で押えることにより、巻き残し側のシートを直接触れずにしっかりと押えることができる。使用に伴いシートロール１０が小径化し、取り出し難くなった場合等、必要に応じて、図５及び図６に示すように、収納箱１の下面３から後面５にわたる帯状の切り起し部３０を箱内側に起し、その先端部を箱内側から挿通口４０に挿通して係止すると、切り起し部３０によってシートロール１０を取出口側に押し上げて支持することができる。よって、シートロール１０が小径化しても、シートロール１０のシート繰り出し位置と取出口との位置関係を使用開始当初に近づけることができ、シートの取り出しを円滑に行うことができる。また、図示形態のように、収納箱１の面の一部を利用して移動手段３０，４０を構成すると、別体の部材を貼り付けて設ける場合のように資材の増加を招くといった問題点もない。
【００２５】
切り起し部３０を挿通口４０に係止するには、切り起し部３０の先端部を、挿通口４０を通して箱内側から箱外側に挿通し、シートロール１０を任意又は予め定められた距離押し上げた状態で、箱外側に突出する部分を下側又は上側に折り返すだけでも良いが、図示形態のように係止位置を調整可能な連結手段を設けることもできる。
【００２６】
すなわち、図示形態では、切り起し部３０において相対的に幅（左右方向）の狭い首部３２を先端から基端側に所定の間隔を空けて複数箇所設け、挿通孔４０の幅を首部３２の幅以上且つ最先端部分及び首部間の部分３３の幅より狭くしている。切り起し部３０を挿通口４０内に挿通させる際、最先端部分及び首部間の部分３３はそのままでは挿通口４０の縁に引っ掛るが、撓ませることにより押し込むことができ、一方首部３２は挿通口４０に引っ掛らずに挿通することができる。よって、切り起し部３０を挿通口４０に対して適宜の首部３２まで挿通させれば、その先端側の部分が挿通口４０の縁部に引っ掛ることにより係止されるようになる。
【００２７】
＜第２の形態＞
第２の形態は、第１の形態とは移動手段が異なるものであり、図７及び図８に示すように、移動手段として、収納箱１の下面３の左右方向中央部分における前後方向の所定範囲（図示形態では前縁近傍から後縁近傍まで）が、前端５１を切り残して周囲から切り離し可能な下面切り起し部５０として設けられており、収納箱１の後面５の左右方向中央部分における上下方向の所定範囲（図示形態では上縁から下縁近傍まで）が、上端６１を切り残して周囲から切り離し可能な後面切り起し部６０として設けられ、且つ後面切り起し部６０に、下面切り起し部５０の先端部を挿通して係止するための挿通口形成部７０が設けられているものである。
【００２８】
挿通口形成部７０は、図示例では後面切り起し部６０の左右方向中央部分における下端近傍から上縁７１までの全部（一部でも良い）が、上縁７１を切り残して周囲から切り離し可能な切り起し部として形成されている。この挿通口形成部７０の周縁のうち切り離される部分は予め切り離されていても良いが、図示例のようにミシン目７２により切り離し可能となっているのが好ましい。さらに切り残し無く、切り取り去る形態としても良い。
【００２９】
挿通口形成部７０の位置は、図示例では後面切り起し部６０になっているが、反対に下面切り起し部５０に設け、これに後面切り起し部６０の先端部を挿通して係止するようにしても良い。下面３及び後面５の各切り起し部５０，６０の周縁のうち切り離される部分は予め切り離されていても良いが、図示例のようにミシン目５２，６２により切り離し可能となっているのが好ましい。
【００３０】
本第２の形態では、使用に伴いシートロール１０が小径化し、取り出し難くなった場合等、必要に応じて図８に示すように、収納箱の下面３及び後面５からそれぞれ切り起し部５０，６０を箱内側に起すとともに、挿通口形成部７０のミシン目７２を切り離して挿通口７９を形成した後、この挿通口７９に下面切り起し部５０の先端部を挿通して係止することにより、両切り起し部５０，６０が繋がってシートロール１０を後側下稜線部の側から取出口２６側に押し上げた状態で支持することができる。よって、シートロール１０が小径化しても、シートロール１０のシート繰り出し位置と取出口２６との位置関係を使用開始当初に近づけることができ、シートの取り出しを円滑に行うことができる。また、図示形態のように、収納箱１の面の一部を利用して移動手段５０，６０，７０を構成すると、別体の部材を貼り付けて設ける場合のように資材の増加を招くといった問題点もない。
【００３１】
下面切り起し部５０を後面切り起し部６０の挿通口７９に係止するには、下面切り起し部５０の先端部を後面切り起し部６０の挿通口７９に通し、シートロール１０を任意又は予め定められた距離押し上げた状態で、下面切り起し部５０のうち挿通口７９から突出する部分を折り返すだけでも良いが、図示形態のように係止位置を調整可能な連結手段を設けることもできる。
【００３２】
すなわち、図示例では、下面切り起し部５０の先端部に、付け根側に位置する所定幅の首部５４と、先端側に位置し首部５４よりも幅広の頭部５３とが設けられている。また、後面切り起し部６０に形成される挿通口形成部７０（挿通口７０も同様の形状となる）は、下面切り起し部５０の頭部５３の幅よりも広い幅を有する挿入部７３と、下面切り起し部の頭部５３の幅より狭く且つ下面切り起し部５０の首部５４が通過可能な固定部７４とが、後面切り起し部６０の先端側から基端側に向って固定部７４及び挿入部７３の順に、交互に且つそれぞれ複数形成されている。図示例では、固定部７４及び挿入部７３を形成するために、挿通口形成部７０の両側縁を、複数の半円状突出部からなる波状に形成しているが、固定部７４及び挿入部７３の幅の大小関係を満たす限り、三角波状、のこぎり波状、矩形波状等、適宜の形状を採用することができる。
【００３３】
両切り起し部５０，６０を連結するときには、下面切り起し部５０の先端部を首部５４まで、後面切り起し部６０の挿通口７９における所望の挿入部７３に挿し通し、その先端側の固定部７４に移動する。これにより、頭部５３が固定部７４の縁に引っ掛って抜けなくなり、両切り起し部５０，６０が連結される。固定位置を調整する場合には、下面切り起し部５０を掛け止める固定部７４をより適切な位置のものに変えれば良い。
【００３４】
＜第３の形態＞
第３の形態は、第１の形態とは移動手段が異なるものであり、図９〜図１１に示すように、移動手段として、後面５及び上面２の境界をなす後側上稜線部における左右方向中央部分にスリット状の挿通口８０が設けられるとともに、前面４における下面３の境界近傍の左右方向中央部分の箱内面から箱内側に突出し、箱内においてシートロールの下側及び後側を通って、挿通口８０に箱内側から箱外側へ挿通されて係止される舌片９０が設けられている。
【００３５】
挿通口８０は、図示例のように後側上稜線部上とする他、その近傍であれば上面２又は後面５に設けることもできる。挿通口８０は、図示例のように予めスリット状に切断されている他、使用者がミシン目により切り離して形成できるようになっていても良い。
【００３６】
舌片９０の始端は、収納箱１における前面４及び下面３の境界をなす前側下稜線部又はその近傍であれば、図示例のように収納箱前面４における糊代片３ｂの先端でなくても良い。ただし、図示例の場合、糊代片３ｂから舌片９０を延出させる構造としているため、一枚のブランクシートから収納箱１を形成することができる利点がある。舌片９０は別体の部材を貼り付けて設けることもできるが、それよりも、図示例のように収納箱１の構成材の一部の延長により構成する方が、資材の増加を招くといった問題点がないため好ましい。
【００３７】
本第３の形態では、使用に伴いシートロールが小径化し、取り出し難くなった場合等、必要に応じて図９及び図１１に示すように、箱内側に突出する舌片９０を挿通口８０に通して箱外側に導出し係止することにより、舌片９０がシートロール１０を取出口２６側に押し上げて支持することができる。よって、シートロール１０が小径化しても、シートロール１０のシート繰り出し位置と取出口２６との位置関係を使用開始当初に近づけることができ、シートの取り出しを円滑に行うことができる。舌片９０を挿通口８０に係止するには、舌片９０を挿通口８０に通し、シートロール１０を任意又は予め定められた距離押し上げた状態で、舌片９０のうち挿通口８０から突出する部分９１を折り返すだけでも良いが、第１の実施形態に倣って舌片９０に首部を設ける等し、係止位置を調整可能な連結手段を設けることができる（図示せず）。
【００３８】
＜本発明の関連発明の実施形態（参考実施形態）＞
参考実施形態は、第１の形態とは移動手段が異なるものであり、図１２及び図１３に示すように、移動手段として、収納箱１の下面３の左右方向中央部分における前後方向の所定位置（図示例では前縁近傍）から下面３及び後面５の境界を経て後面５の左右方向中央部分における上下方向の中間位置（図示例では上縁近傍）までの部分が、下面３における前端１０２及び後面５における上端１０１を切り残して両側縁を周囲から切り離し可能な切り起し部１００として設けられているものである。この場合、切り起し部の周縁のうち切り離される部分は予め切り離されていても良いが、図示例のようにミシン目１０３により切り離し可能となっているのが好ましい。
【００３９】
参考実施形態では、使用に伴いシートロール１０が小径化し、取り出し難くなった場合等、必要に応じて図１３に示すように、収納箱１の下面３から後面５にわたる帯状の切り起し部分１００を、下面３における前端１０２及び後面５における上端１０１を切り残して両側縁を周囲から切り離して箱内側に起すことにより、この切り起し部１００がシートロール１０を取出口２６側に押し上げて支持する機能を発揮する。よって、シートロール１０が小径化しても、シートロール１０のシート繰り出し位置と取出口２６との位置関係を使用開始当初に近づけることができ、シートの取り出しを円滑に行うことができる。また、図示形態のように、収納箱１の面の一部を利用して移動手段を構成すると、別体の部材を貼り付けて設ける場合のように資材の増加を招くといった問題点もない。
【００４０】
特に、図示例の切り起し部１００のように、両切り残し部１０１，１０２を結ぶ方向に間隔を空けて３本以上の左右方向に沿う折目１０４を定め、これによって階段状に折り曲げると、シートロール１０側面における断面Ｌ字状（鋭角、直角及び鈍角含む）の窪み１０５にシートロール１０が収まり、支持が安定したものとなるため好ましい。この折目の位置は、シートロール１０の径に応じて適宜変えることにより、より適切にシートロール１０を支持することができる。
【００４１】
＜その他＞
上記各形態における折り曲げを行う部分に沿って、予め罫線加工やミシン目加工（例えば切り離しを行うものよりタイ部の長さを長くする）等の、折り曲げを容易にする加工を施すのは好ましい。
【産業上の利用可能性】
【００４２】
本発明は、キッチンペーパーやトイレットペーパー等に代表されるシートロール製品に好適に利用できるものである。
【図面の簡単な説明】
【００４３】
【図１】第１の形態の左斜め上から見た斜視図である。
【図２】第１の形態の左斜め下から見た斜視図である。
【図３】第１の形態の収納箱の展開図である。
【図４】第１の形態の左斜め上から見た斜視図である。
【図５】第１の形態の左斜め下から見た斜視図である。
【図６】第１の形態の縦断面図である。
【図７】第２の形態の左斜め下から見た斜視図である。
【図８】第２の形態の縦断面図である。
【図９】第３の形態の左斜め上から見た斜視図である。
【図１０】第３の形態の収納箱の展開図である。
【図１１】第３の形態の縦断面図である。
【図１２】本発明の関連発明の実施形態の左斜め下から見た斜視図である。
【図１３】本発明の関連発明の実施形態の縦断面図である。
【符号の説明】
【００４４】
１…収納箱、２…上面、３…下面、４…前面、５…後面、６…左側面、７…右側面、２５…取出口形成部、２５…ミシン目、又は、前側上稜線部、２６…取出口、３０…切り起し部、４０…挿通口。
【図１】
0005166936.tif 000002
【図２】
0005166936.tif 000003
【図３】
0005166936.tif 000004
【図４】
0005166936.tif 000005
【図５】
0005166936.tif 000006
【図６】
0005166936.tif 000007
【図７】
0005166936.tif 000008
【図８】
0005166936.tif 000009
【図９】
0005166936.tif 000010
【図１０】
0005166936.tif 000011
【図１１】
0005166936.tif 000012
【図１２】
0005166936.tif 000013
【図１３】
0005166936.tif 000014